(57)【要約】【課題】発信携帯端末のユーザに移動端末のユーザの所在場所に関する有用な情報を伝えることができる呼出音源提供サーバ、呼出音源提供システム、呼出音源提供方法、呼出音源提供プログラムを提供する。【解決手段】呼出音源提供システム１００は音声通話制御サーバ１２０、呼出音源提供サーバ１４０を備え、呼出音源提供サーバ１４０は、対応関係記憶部１４１、移動端末存在エリア決定部１４２、呼出音源決定部１４３を有する。対応関係記憶部１４１は、移動端末存在エリアと音源データとの対応関係を記憶する。移動端末存在エリア決定部１４２は、移動端末位置情報から移動端末存在エリアを決定する。呼出音源決定部１４３は、対応関係記憶部１４１に記憶された対応関係から、移動端末存在エリアに対応する音源データを決定する。【選択図】図１
2014017783.tif 000002
【特許請求の範囲】
【請求項１】
移動端末に呼出音の音源データを提供する呼出音源提供システムの呼出音源提供サーバであって、
前記移動端末が存在する移動端末存在エリアと前記音源データとの対応関係を記憶する対応関係記憶部と、
呼出音源決定を要求されたときに、前記移動端末の位置を示す移動端末位置情報から前記移動端末存在エリアを決定する移動端末存在エリア決定部と、
前記対応関係記憶部に記憶された前記対応関係から、前記移動端末存在エリア決定部が決定した前記移動端末存在エリアに対応する前記音源データを決定する呼出音源決定部と、
前記呼出音源決定部が決定した前記音源データを送信する呼出音源送信部とを有することを特徴とする呼出音源提供サーバ。
【請求項２】
前記音源データに、発信処理の中止を促す音源の前記音源データが含まれることを特徴とする請求項１に記載の呼出音源提供サーバ。
【請求項３】
前記移動端末位置情報が発信側移動端末の位置を示す位置情報であることを特徴とする請求項１または２に記載の呼出音源提供サーバ。
【請求項４】
前記移動端末位置情報が着信側移動端末の位置を示す位置情報であることを特徴とする請求項１または２に記載の呼出音源提供サーバ。
【請求項５】
前記移動端末位置情報が移動端末ＧＰＳ情報であることを特徴とする請求項１乃至４のいずれかに記載の呼出音源提供サーバ。
【請求項６】
前記移動端末位置情報が前記移動端末から発信された電波を受信した中継装置の情報に基づいて決定された位置情報であることを特徴とする請求項１乃至４のいずれかに記載の呼出音源提供サーバ。
【請求項７】
移動端末に呼出音の音源データを提供する呼出音源提供システムであって、
音声通話制御サーバと呼出音源提供サーバとを備え、
前記呼出音源提供サーバは、
前記移動端末が存在する移動端末存在エリアと前記音源データとの対応関係を記憶する対応関係記憶部と、
前記音声通話制御サーバが呼出音源決定を要求したときに、前記移動端末の位置を示す移動端末位置情報から前記移動端末存在エリアを決定する移動端末存在エリア決定部と、
前記対応関係記憶部に記憶された前記対応関係から、前記移動端末存在エリア決定部が決定した前記移動端末存在エリアに対応する前記音源データを決定する呼出音源決定部と、
前記呼出音源決定部が決定した前記音源データを前記音声通話制御サーバに送信する呼出音源送信部とを有する
ことを特徴とする呼出音源提供システム。
【請求項８】
音声通話制御サーバと呼出音源提供サーバとを備え、移動端末に呼出音の音源データを提供する呼出音源提供システムを用いた呼出音源提供方法であって、
前記呼出音源提供サーバに、前記移動端末が存在する移動端末存在エリアと前記音源データとの対応関係を記憶する第１ステップと、
前記音声通話制御サーバから呼出音源決定が要求されたときに、前記呼出音源提供サーバが、前記移動端末の位置を示す移動端末位置情報から前記移動端末存在エリアを決定する第２ステップと、
前記呼出音源提供サーバが、前記第１ステップで記憶した前記対応関係から、前記第２ステップで決定した前記移動端末存在エリアに対応する前記音源データを決定する第３ステップと、
前記呼出音源提供サーバが、前記第３ステップで決定した前記音源データを前記音声通話制御サーバに送信する第４ステップとを有する
ことを特徴とする呼出音源提供方法。
【請求項９】
移動端末に呼出音の音源データを提供する呼出音源提供システムの呼出音源提供サーバに、
呼出音源決定を要求されたときに、前記移動端末の位置を示す移動端末位置情報から移動端末存在エリアを決定する第１の手順と、
対応関係記憶部に記憶された移動端末存在エリアと前記音源データとの対応関係から、前記第１手順で決定された前記移動端末存在エリアに対応する前記音源データを決定する第２の手順と、
前記第２手順で決定された前記音源データを送信する第３の手順とを実行させる
ことを特徴とする呼出音源提供プログラム。
【発明の詳細な説明】
【技術分野】
【０００１】
本発明は移動端末に呼出音の音源データを提供する呼出音源提供システムの呼出音源提供サーバ、上記呼出音源提供システム、呼出音源提供方法、呼出音源提供プログラムに関する。
【背景技術】
【０００２】
従来、特許文献１に記載されているように、発信側移動端末から発信情報が送信されたとき、発信側移動端末のスピーカから、着信側移動端末のユーザが予め設定したメロディーを流すサービスが知られている。このサービスを利用することにより、発信側移動端末のユーザに待ち時間を意識させずに済み、また発信側移動端末のユーザと着信側移動端末のユーザとの間にコミュニケーションの新たなきっかけを与えることができる。
【先行技術文献】
【特許文献】
【０００３】
【特許文献１】特開２００８−１０９３６５号公報
【発明の概要】
【発明が解決しようとする課題】
【０００４】
ところで、病院内、映画館内、劇場内、美術館内などであって、通常、携帯電話端末の使用（通話やメール送受信）が禁止されている場所がある。このような場所において、倫理的な観点から、携帯電話端末の使用を控えるべきである。このような場所において、携帯電話端末を技術的に使用できないようにすることも考えられる。しかしながら、携帯電話端末のユーザの意思を無視して通信規制することは法律的な問題が生じる可能性がある。
【０００５】
このような問題は、特許文献１に記載の技術では解決できない。
本発明は上述した従来技術の問題点を解決するためになされたものであり、その目的は、発信携帯端末のユーザに移動端末のユーザの所在場所に関する有用な情報を伝えることができる呼出音源提供サーバ、呼出音源提供システム、呼出音源提供方法、呼出音源提供プログラムを提供することである。
【課題を解決するための手段】
【０００６】
本発明の一態様による呼出音源提供サーバは、移動端末に呼出音の音源データを提供する呼出音源提供システムの呼出音源提供サーバであって、前記移動端末が存在する移動端末存在エリアと前記音源データとの対応関係を記憶する対応関係記憶部と、呼出音源決定を要求されたときに、前記移動端末の位置を示す移動端末位置情報から前記移動端末存在エリアを決定する移動端末存在エリア決定部と、前記対応関係記憶部に記憶された前記対応関係から、前記移動端末存在エリア決定部が決定した前記移動端末存在エリアに対応する前記音源データを決定する呼出音源決定部と、前記呼出音源決定部が決定した前記音源データを送信する呼出音源送信部とを有することを特徴とする。このような構成により、発信側移動端末に移動端末存在エリアに対応する音源データを送信することができ、発信携帯端末のユーザに、移動端末のユーザの所在場所に関する有用な情報を伝えることができる。
【０００７】
前記音源データには、発信処理の中止を促す音源の前記音源データが含まれていてもよい。発信処理の中止を促す音源の音源データが含まれていれば、発信側移動端末のスピーカから、発信処理の中止を促すメッセージ、音等が発せられ、倫理的な観点から、移動端末の使用の適正化を実現することが期待できる。
前記移動端末位置情報は、発信側移動端末の位置を示す位置情報であってもよい。こうすることにより、発信側移動端末の位置すなわち発信側移動端末のユーザの所在場所に応じてメッセージ、音等を伝えることができる。
前記移動端末位置情報は、着信側移動端末の位置を示す位置情報であってもよい。こうすることにより、着信側移動端末の位置すなわち着信側移動端末のユーザの所在場所に応じてメッセージ、音等を伝えることができる。
【０００８】
前記移動端末位置情報は、移動端末ＧＰＳ情報であってもよい。こうすることにより、ＧＰＳを用いた測位により、移動端末の位置すなわち移動端末のユーザの所在場所に応じてメッセージ、音等を伝えることができる。
前記移動端末位置情報は、前記移動端末から発信された電波を受信した中継装置の情報に基づいて決定された位置情報であってもよい。こうすることにより、ＧＰＳによる測位を行えない場合でも、移動端末の位置すなわち移動端末のユーザの所在場所に応じてメッセージ、音等を伝えることができる。
【０００９】
本発明の一態様による呼出音源提供システムは、移動端末に呼出音の音源データを提供する呼出音源提供システムであって、音声通話制御サーバと呼出音源提供サーバとを備え、前記呼出音源提供サーバは、前記移動端末が存在する移動端末存在エリアと前記音源データとの対応関係を記憶する対応関係記憶部と、前記音声通話制御サーバが呼出音源決定を要求したときに、前記移動端末の位置を示す移動端末位置情報から前記移動端末存在エリアを決定する移動端末存在エリア決定部と、前記対応関係記憶部に記憶された前記対応関係から、前記移動端末存在エリア決定部が決定した前記移動端末存在エリアに対応する前記音源データを決定する呼出音源決定部と、前記呼出音源決定部が決定した前記音源データを前記音声通話制御サーバに送信する呼出音源送信部とを有することを特徴とする。このような構成により、発信側移動端末に移動端末存在エリアに対応する音源データを送信することができ、発信携帯端末のユーザに、移動端末のユーザの所在場所に関する有用な情報を伝えることができる。
【００１０】
本発明の一態様による呼出音源提供方法は、音声通話制御サーバと呼出音源提供サーバとを備え、移動端末に呼出音の音源データを提供する呼出音源提供システムを用いた呼出音源提供方法であって、前記呼出音源提供サーバに、前記移動端末が存在する移動端末存在エリアと前記音源データとの対応関係を記憶する第１ステップと、前記音声通話制御サーバから呼出音源決定が要求されたときに、前記呼出音源提供サーバが、前記移動端末の位置を示す移動端末位置情報から前記移動端末存在エリアを決定する第２ステップと、前記呼出音源提供サーバが、前記第１ステップで記憶した前記対応関係から、前記第２ステップで決定した前記移動端末存在エリアに対応する前記音源データを決定する第３ステップと、前記呼出音源提供サーバが、前記第３ステップで決定した前記音源データを前記音声通話制御サーバに送信する第４ステップとを有することを特徴とする。このような方法によれば、発信側移動端末に移動端末存在エリアに対応する音源データを送信することができ、発信携帯端末のユーザに、移動端末のユーザの所在場所に関する有用な情報を伝えることができる。
【００１１】
本発明の一態様による呼出音源提供プログラムは、移動端末に呼出音の音源データを提供する呼出音源提供システムの呼出音源提供サーバに、呼出音源決定を要求されたときに、前記移動端末の位置を示す移動端末位置情報から前記移動端末存在エリアを決定する第１の手順と、対応関係記憶部に記憶された移動端末存在エリアと前記音源データとの対応関係から、前記第１手順で決定された前記移動端末存在エリアに対応する前記音源データを決定する第２の手順と、前記第２手順で決定された前記音源データを送信する第３の手順とを実行させることを特徴とする。このようなプログラムを用いれば、発信側移動端末に移動端末存在エリアに対応する音源データを送信することができ、発信携帯端末のユーザに、移動端末のユーザの所在場所に関する有用な情報を伝えることができる。
【発明の効果】
【００１２】
本発明によれば、発信側移動端末に移動端末存在エリアに対応する音源データを送信することができるため、発信携帯端末のユーザに、移動端末のユーザの所在場所に関する有用な情報を伝えることができる。
また、音源データに、発信処理の中止を促す音源の音源データが含まれるときには、移動端末存在エリアが特定の施設内であるときに、発信側移動端末のスピーカから、発信処理の中止を促すメッセージ、音等を送信することができるため、倫理的な観点から、移動端末の使用の適正化を実現することが期待できる。
【図面の簡単な説明】
【００１３】
【図１】本発明の実施の形態による呼出音源提供システムの構成例を示すブロック図である。
【図２】図１の呼出音源提供システムの動作を示すシーケンス図である。
【図３】本発明の他の実施の形態に係る呼出音源提供システムの構成例を示すブロック図である。
【図４】図３の呼出音源提供システムの動作を示すシーケンス図である。
【図５】本発明の他の実施の形態に係る呼出音源提供システムの構成例を示すブロック図である。
【図６】図５の呼出音源提供システムの動作を示すシーケンス図である。
【発明を実施するための形態】
【００１４】
以下、本発明の実施の形態を、図面を参照して説明する。なお、以下の説明において参照する各図では、他の図と同等部分は同一符号によって示されている。
（第１の実施の形態）
図１は、本発明の第１の実施の形態による呼出音源提供システムの構成例を示すブロック図である。同図を参照すると、呼出音源提供システム１００は発信側移動端末１０ａ、着信側移動端末１０ｂを含む複数の移動端末（例えば、携帯電話端末）の音声通話セッションを制御するとともに、移動端末に呼出音の音源データを提供する。呼出音源提供システム１００は音声通話制御サーバ１２０、サービス制御サーバ１３０、呼出音源提供サーバ１４０を備えている。
【００１５】
音声通話制御サーバ１２０は、発信情報取得部１２１、着信ユーザ在圏情報要求部１２２、着信ユーザ在圏情報判断部１２３、位置情報取得部１２４、呼出音源決定要求部１２５、呼出信号送信部１２６、音源データ転送部１２７を有する。サービス制御サーバ１３０は着信ユーザ在圏情報取得部１３１、着信ユーザ在圏情報送信部１３２を有する。呼出音源提供サーバ１４０は、対応関係記憶部１４１、移動端末存在エリア決定部１４２、呼出音源決定部１４３、呼出音源送信部１４４を有する。
【００１６】
発信情報取得部１２１は、発信側移動端末１０ａから発信情報が送信されたとき、その発信情報を取得する。発信側移動端末１０ａからの発信情報は発信ユーザ識別情報、着信ユーザ識別情報を含む。着信ユーザ在圏情報要求部１２２は、発信情報取得部１２１が発信情報を取得したとき、サービス制御サーバ１３０に対して着信ユーザ在圏情報を要求する。この場合、着信ユーザ在圏情報要求部１２２はサービス制御サーバ１３０に着信ユーザ識別情報を送信する。着信ユーザ在圏情報判断部１２３は、サービス制御サーバ１３０から着信ユーザ在圏情報及び着信ユーザ通信状態情報を取得し、呼出音源決定要求をするか否かを判断する。
【００１７】
位置情報取得部１２４は、着信ユーザ在圏情報判断部１２３が呼出音源決定要求をすると判断したとき、発信側移動端末１０ａから発信された電波を受信した中継装置の情報に基づいて、発信側移動端末１０ａの移動端末位置情報すなわち発信ユーザ位置情報を取得する。この位置情報の取得に用いる中継装置は、たとえば屋外であれば携帯電話基地局、屋内であればＩＭＣＳ（Inbuilding  Mobile  Communication  System）が該当する。
【００１８】
呼出音源決定要求部１２５は、呼出音源提供サーバ１４０に対して、呼出音源決定を要求する。この場合、呼出音源決定要求部１２５は、呼出音源提供サーバ１４０に対して、発信ユーザ識別情報、着信ユーザ識別情報、着信ユーザ在圏情報、着信ユーザ通信状態情報および発信ユーザ位置情報を送信する。呼出信号送信部１２６は着信側移動端末１０ｂに呼出信号を送信する。音源データ転送部１２７は呼出音源提供サーバ１４０から音源データを取得する。そして、音源データ転送部１２７は発信側移動端末１０ａに音源データを転送する。
【００１９】
着信ユーザ在圏情報取得部１３１は、音声通話制御サーバ１２０から着信ユーザ在圏情報要求があったとき、着信ユーザ識別情報に基づいて、着信側移動端末１０ｂの着信ユーザ在圏情報及び着信ユーザ通信状態情報を取得する。着信ユーザ在圏情報送信部１３２は、着信ユーザ在圏情報及び着信ユーザ通信状態情報を音声通話制御サーバ１２０に送信する。
【００２０】
対応関係記憶部１４１は、移動端末が存在する移動端末存在エリアと音源データとの対応関係を記憶する。たとえば、対応関係記憶部１４１は、移動端末存在エリアと音源データとの対応関係を示す対応関係テーブルを記憶する。ここで、たとえば移動端末存在エリアが病院内であれば、「通信自粛エリアですが、このままお繋ぎしますか？」というメッセージの音源データが移動端末存在エリアと対応されている。すなわち、移動端末存在エリアが特定の施設内たとえば病院内、映画館内、劇場内、美術館内などであって、通常、携帯電話端末の使用（通話やメール送受信）が禁止されている場所に対して、発信処理の中止を促すメッセージ、音等の音源の音源データが用意されており、移動端末存在エリアと発信処理の中止を促す音源の音源データとの対応関係が予め定められている。上記特定の施設以外の施設に対応した音源データも用意されている。たとえば、移動端末存在エリアがスーパーマーケット内であるときには、そのスーパーマーケットの特売情報の音声の音源データが移動端末存在エリアと対応付けられている。また、移動端末存在エリアが施設内ではない場合には、着信側移動端末１０ｂのユーザが予め設定したメロディーの音源データ、通常の呼出音の音源データなどが移動端末存在エリアと対応付けられている。さらに、メッセージの音源データの場合には、移動端末存在エリアで用いられる方言・言語を用いてメッセージを作成してもよい。
【００２１】
移動端末存在エリア決定部１４２は、音声通話制御サーバ１２０が呼出音源決定を要求したとき、音声通話制御サーバ１２０から送信された発信ユーザ位置情報から発信側移動端末１０ａが存在する移動端末存在エリアを決定する。呼出音源決定部１４３は、対応関係記憶部１４１に記憶された対応関係から、移動端末存在エリア決定部１４２により決定された移動端末存在エリアに対応する音源データを決定する。呼出音源送信部１４４は、呼出音源決定部１４３が決定した音源データを音声通話制御サーバ１２０に送信する。
【００２２】
つぎに、図１に示した呼出音源提供システムの動作すなわち呼出音源提供方法を図２により説明する。
まず、対応関係記憶部１４１に、移動端末存在エリアと音源データとの対応関係を予め記憶させる（第１ステップ）。そして、発信側移動端末１０ａから発信情報が送信されたとき、発信情報取得部１２１はその発信情報を取得する。発信情報取得部１２１が発信情報を取得したとき、着信ユーザ在圏情報要求部１２２は、サービス制御サーバ１３０に対して着信ユーザ在圏情報を要求する。音声通話制御サーバ１２０から着信ユーザ在圏情報要求があったとき、着信ユーザ在圏情報取得部１３１は、着信側移動端末１０ｂの着信ユーザ在圏情報及び着信ユーザ通信状態情報を取得する。つぎに、着信ユーザ在圏情報送信部１３２は、着信ユーザ在圏情報及び着信ユーザ通信状態情報を音声通話制御サーバ１２０に送信する。
【００２３】
つぎに、着信ユーザ在圏情報判断部１２３は、サービス制御サーバ１３０から着信ユーザ在圏情報及び着信ユーザ通信状態情報を取得し、呼出音源決定要求をするか否かを判断する。そして、着信ユーザ在圏情報判断部１２３が呼出音源決定要求をすると判断したとき、位置情報取得部１２４は、発信側移動端末１０ａから発信された電波を受信した中継装置の情報に基づいて、発信ユーザ位置情報を取得する。つぎに、呼出音源決定要求部１２５は、呼出音源提供サーバ１４０に対して、呼出音源決定を要求する。また、呼出信号送信部１２６は着信側移動端末１０ｂに呼出信号を送信する。
【００２４】
音声通話制御サーバ１２０から呼出音源決定を要求されたとき、移動端末存在エリア決定部１４２は、音声通話制御サーバ１２０から送信された発信ユーザ位置情報から移動端末存在エリアを決定する。なお、移動端末存在エリアは広いエリアよりも狭いエリアを優先して決定することとする（第２ステップ）。つぎに、呼出音源決定部１４３は、移動端末存在エリア決定部１４２により決定された移動端末存在エリアに対応する音源データを決定する（第３ステップ）。つぎに、呼出音源送信部１４４は、呼出音源決定部１４３が決定した音源データを音声通話制御サーバ１２０に送信する（第４ステップ）。
【００２５】
つぎに、音源データ転送部１２７は呼出音源提供サーバ１４０から音源データを取得する。そして、音源データ転送部１２７は発信側移動端末１０ａに音源データを転送する。この場合、発信側移動端末１０ａのスピーカから音源データに基づく音が発せられる。したがって、移動端末存在エリアが特定の施設内であるときには、発信側移動端末１０ａのスピーカから発信処理の中止を促すメッセージ、音等が発せられる。また、移動端末存在エリアが上記特定の施設以外の施設内であるときには、その施設に対応したメッセージ等が発せられる。さらに、移動端末存在エリアが示す場所が施設以外の場所であるときには、着信側移動端末１０ｂのユーザが予め設定したメロディー、通常の呼出音などが発せられる。この状態で、着信側移動端末１０ｂのユーザがオフフック操作を行うと、発信側移動端末１０ａと着信側移動端末１０ｂとの音声通話が可能な状態となる。
【００２６】
このような呼出音源提供システム１００、呼出音源提供サーバ１４０においては、発信側移動端末１０ａに発信側移動端末１０ａが存在する移動端末存在エリアに対応する音源データを送信することができるから、発信携帯端末１０ａのユーザに、発信側移動端末１０ａのユーザの所在場所に関する有用な情報を伝えることができる。
また、移動端末存在エリアが特定の施設内であって、通常、携帯電話端末の使用が禁止されている場所（すなわち自粛エリア）であるときには、発信側移動端末１０ａのスピーカから発信処理の中止を促すメッセージ、音等が発せられるから、通信事業者の立場として、倫理的な観点から、移動端末の使用の適正化を実現することが期待できる。
【００２７】
（第２の実施の形態）
図３は、本発明の第２の実施の形態による呼出音源提供システムの構成例を示すブロック図である。同図を参照すると、呼出音源提供システム２００は発信側移動端末１０ａ、着信側移動端末１０ｂを含む複数の移動端末の音声通話を制御するとともに、移動端末に呼出音の音源データを提供する。呼出音源提供システム２００は音声通話制御サーバ２２０、サービス制御サーバ２３０、呼出音源提供サーバ２４０を備えている。サービス制御サーバ２３０はコンピュータによって構成されている。
【００２８】
音声通話制御サーバ２２０は、発信情報取得部２２１、着信ユーザ在圏情報要求部２２２、着信ユーザ在圏情報判断部２２３、呼出音源決定要求部２２５、呼出信号送信部２２６、音源データ転送部２２７を有する。サービス制御サーバ２３０は着信ユーザ在圏情報取得部２３１、着信ユーザ在圏情報送信部２３２を有する。呼出音源提供サーバ２４０は、対応関係記憶部２４１、移動端末存在エリア決定部２４２、呼出音源決定部２４３、呼出音源送信部２４４を有する。
【００２９】
発信情報取得部２２１は、発信側移動端末１０ａから発信情報が送信されたとき、その発信情報を取得する。発信側移動端末１０ａからの発信情報は発信ユーザ識別情報、着信ユーザ識別情報、発信側移動端末１０ａの移動端末位置情報（移動端末ＧＰＳ情報）である発信ユーザＧＰＳ情報を含む。着信ユーザ在圏情報要求部２２２、着信ユーザ在圏情報判断部２２３は、着信ユーザ在圏情報要求部１２２、着信ユーザ在圏情報判断部１２３と同様である。
【００３０】
呼出音源決定要求部２２５は、呼出音源提供サーバ２４０に対して、呼出音源決定を要求する。この場合、呼出音源決定要求部２２５は、呼出音源提供サーバ２４０に対して、発信ユーザ識別情報、着信ユーザ識別情報、着信ユーザ在圏情報、着信ユーザ通信状態情報及び発信ユーザＧＰＳ情報を送信する。なお、呼出信号送信部２２６、音源データ転送部２２７は呼出信号送信部１２６、音源データ転送部１２７と同様である。
着信ユーザ在圏情報取得部２３１、着信ユーザ在圏情報送信部２３２は、着信ユーザ在圏情報取得部１３１、着信ユーザ在圏情報送信部１３２と同様である。
【００３１】
対応関係記憶部２４１は、移動端末存在エリアと音源データとの対応関係を記憶する。移動端末存在エリア決定部２４２は、音声通話制御サーバ２２０が呼出音源決定を要求したとき、音声通話制御サーバ２２０から送信された発信ユーザＧＰＳ情報から移動端末存在エリアを決定する。呼出音源決定部２４３は、対応関係記憶部２４１に記憶された対応関係から、移動端末存在エリア決定部２４２により決定された移動端末存在エリアに対応する音源データを決定する。なお、呼出音源送信部２４４は、呼出音源送信部１４４と同様である。
【００３２】
つぎに、図３に示した呼出音源提供システムの動作すなわち呼出音源提供方法を図４により説明する。
まず、対応関係記憶部２４１に、移動端末存在エリアと音源データとの対応関係を予め記憶させる（第１ステップ）。そして、発信側移動端末１０ａから発信情報が送信されたとき、発信情報取得部２２１はその発信情報を取得する。発信情報取得部２２１が発信情報を取得したとき、着信ユーザ在圏情報要求部２２２は、サービス制御サーバ２３０に対して着信ユーザ在圏情報を要求する。音声通話制御サーバ２２０から着信ユーザ在圏情報要求があったとき、着信ユーザ在圏情報取得部２３１は、着信側移動端末１０ｂの着信ユーザ在圏情報及び着信ユーザ通信状態情報を取得する。つぎに、着信ユーザ在圏情報送信部２３２は、着信ユーザ在圏情報及び着信ユーザ通信状態情報を音声通話制御サーバ２２０に送信する。
【００３３】
つぎに、着信ユーザ在圏情報判断部２２３は、サービス制御サーバ２３０から着信ユーザ在圏情報及び着信ユーザ通信状態情報を取得し、呼出音源決定要求をするか否かを判断する。そして、着信ユーザ在圏情報判断部２２３が呼出音源決定要求をすると判断したとき、呼出音源決定要求部２２５は、呼出音源提供サーバ２４０に対して、呼出音源決定を要求する。また、呼出信号送信部２２６は着信側移動端末１０ｂに呼出信号を送信する。
【００３４】
音声通話制御サーバ２２０から呼出音源決定を要求されたとき、移動端末存在エリア決定部２４２は、音声通話制御サーバ２２０から送信された発信ユーザＧＰＳ情報から移動端末存在エリアを決定する。なお、移動端末存在エリアは広いエリアよりも狭いエリアを優先して決定することとする（第２ステップ）。つぎに、呼出音源決定部２４３は、移動端末存在エリア決定部２４２により決定された移動端末存在エリアに対応する音源データを決定する（第３ステップ）。つぎに、呼出音源送信部２４４は、呼出音源決定部２４３が決定した音源データを音声通話制御サーバ２２０に送信する（第４ステップ）。
【００３５】
つぎに、音源データ転送部２２７は呼出音源提供サーバ２４０から音源データを取得する。そして、音源データ転送部２２７は発信側移動端末１０ａに音源データを転送する。この場合、発信側移動端末１０ａのスピーカから音源データに基づく音が発せられる。この状態で、着信側移動端末１０ｂのユーザすなわち着信者がオフフック操作を行うと、発信側移動端末１０ａと着信側移動端末１０ｂとの音声通話が可能な状態となる。
【００３６】
このような呼出音源提供システム２００、呼出音源提供サーバ２４０においても、発信側移動端末１０ａに発信側移動端末１０ａが存在する移動端末存在エリアに対応する音源データを送信することができるため、発信携帯端末１０ａのユーザに、発信側移動端末１０ａのユーザの所在場所に関する有用な情報を伝えることができる。
また、移動端末存在エリアが特定の施設内であって、通常、携帯電話端末の使用が禁止されている場所（すなわち自粛エリア）であるときには、発信側移動端末１０ａのスピーカから発信処理の中止を促すメッセージ、音等を送信することができるため、倫理的な観点から、移動端末の使用の適正化を実現することが期待できる。
【００３７】
（第３の実施の形態）
図５は、本発明の第３の実施の形態による呼出音源提供システムの構成例を示すブロック図である。同図を参照すると、呼出音源提供システム３００は発信側移動端末１０ａ、着信側移動端末１０ｂを含む複数の移動端末の音声通話を制御するとともに、移動端末に呼出音の音源データを提供する。呼出音源提供システム３００は音声通話制御サーバ３２０、サービス制御サーバ３３０、呼出音源提供サーバ３４０、ＧＰＳサーバ３５０を備えている。
【００３８】
音声通話制御サーバ３２０は、発信情報取得部３２１、着信ユーザ在圏情報要求部３２２、着信ユーザ在圏情報判断部３２３、呼出音源決定要求部３２５、呼出信号送信部３２６、音源データ転送部３２７を有する。サービス制御サーバ３３０は着信ユーザ在圏情報取得部３３１、着信ユーザ在圏情報送信部３３２を有する。呼出音源提供サーバ３４０は、対応関係記憶部３４１、移動端末存在エリア決定部３４２、呼出音源決定部３４３、呼出音源送信部３４４、発信ユーザＧＰＳ情報要求部３４５、発信ユーザＧＰＳ情報受信部３４６を有する。ＧＰＳサーバ３５０は、発信ユーザＧＰＳ情報取得部３５１、発信ユーザＧＰＳ情報送信部３５２を有する。
【００３９】
発信情報取得部３２１、着信ユーザ在圏情報要求部３２２、着信ユーザ在圏情報判断部３２３、呼出音源決定要求部３２５、呼出信号送信部３２６、音源データ転送部３２７は、発信情報取得部１２１、着信ユーザ在圏情報要求部１２２、着信ユーザ在圏情報判断部１２３、呼出音源決定要求部１２５、呼出信号送信部１２６、音源データ転送部１２７と同様である。また、着信ユーザ在圏情報取得部３３１、着信ユーザ在圏情報送信部３３２は、着信ユーザ在圏情報取得部１３１、着信ユーザ在圏情報送信部１３２と同様である。
【００４０】
移動端末存在エリア決定部３４２は、ＧＰＳサーバ３５０から発信ユーザＧＰＳ情報を受信したとき、ＧＰＳサーバ３５０から送信された発信ユーザＧＰＳ情報から移動端末存在エリアを決定する。そして、対応関係記憶部３４１、呼出音源決定部３４３、呼出音源送信部３４４は、対応関係記憶部２４１、呼出音源決定部２４３、呼出音源送信部２４４と同様である。
【００４１】
発信ユーザＧＰＳ情報要求部３４５は、音声通話制御サーバ３２０から呼出音源提供サーバ３４０に対して呼出音源決定が要求されたとき、発信ユーザＧＰＳ情報を要求する。この場合、発信ユーザＧＰＳ情報要求部３４５はＧＰＳサーバ３５０に発信ユーザ識別情報を送信する。発信ユーザＧＰＳ情報受信部３４６はＧＰＳサーバ３５０から発信ユーザＧＰＳ情報を受信する。
発信ユーザＧＰＳ情報取得部３５１は、呼出音源提供サーバ３４０から発信ユーザＧＰＳ情報を要求されたとき、発信ユーザ識別情報に基づいて発信ユーザＧＰＳ情報を取得する。発信ユーザＧＰＳ情報送信部３５２は呼出音源提供サーバ３４０に発信ユーザＧＰＳ情報を送信する。
【００４２】
つぎに、図５に示した呼出音源提供システムの動作すなわち呼出音源提供方法を図６により説明する。
まず、対応関係記憶部３４１に、発信ユーザ位置情報と音源データとの対応関係を予め記憶させる（第１ステップ）。そして、発信側移動端末１０ａから発信情報が送信されたとき、発信情報取得部３２１はその発信情報を取得する。発信情報取得部３２１が発信情報を取得したとき、着信ユーザ在圏情報要求部３２２は、サービス制御サーバ３３０に対して着信ユーザ在圏情報を要求する。音声通話制御サーバ３２０から着信ユーザ在圏情報要求があったとき、着信ユーザ在圏情報取得部３３１は、着信側移動端末１０ｂの着信ユーザ在圏情報及び着信ユーザ通信状態情報を取得する。つぎに、着信ユーザ在圏情報送信部３３２は、着信ユーザ在圏情報及び着信ユーザ通信状態情報を音声通話制御サーバ３２０に送信する。
【００４３】
つぎに、着信ユーザ在圏情報判断部３２３は、サービス制御サーバ３３０から着信ユーザ在圏情報及び着信ユーザ通信状態情報を取得し、呼出音源決定要求をするか否かを判断する。そして、着信ユーザ在圏情報判断部３２３が呼出音源決定要求をすると判断したとき、呼出音源決定要求部３２５は、呼出音源提供サーバ３４０に対して、呼出音源決定を要求する。
【００４４】
音声通話制御サーバ３２０から呼出音源提供サーバ３４０に対して呼出音源決定が要求されたとき、発信ユーザＧＰＳ情報要求部３４５はＧＰＳサーバ３５０に対して発信ユーザＧＰＳ情報を要求する。呼出音源提供サーバ３４０から発信ユーザＧＰＳ情報が要求されたとき、発信ユーザＧＰＳ情報取得部３５１は、発信ユーザ識別情報に基づいて発信側移動端末１０ａの発信ユーザＧＰＳ情報を取得する。つぎに、発信ユーザＧＰＳ情報送信部３５２は呼出音源提供サーバ３４０に発信側移動端末１０ａの発信ユーザＧＰＳ情報を送信する。すると、発信ユーザＧＰＳ情報受信部３４６はＧＰＳサーバ３５０から発信ユーザＧＰＳ情報を受信する。つぎに、呼出信号送信部３２６は着信側移動端末１０ｂに呼出信号を送信する。
【００４５】
つぎに、移動端末存在エリア決定部３４２は、ＧＰＳサーバ３５０から送信された発信側移動端末１０ａの発信ユーザＧＰＳ情報から移動端末存在エリアを決定する。なお、移動端末存在エリアは広いエリアよりも狭いエリアを優先して決定することとする（第２ステップ）。つぎに、呼出音源決定部３４３は、移動端末存在エリア決定部３４２により決定された移動端末存在エリアに対応する音源データを決定する（第３ステップ）。つぎに、呼出音源送信部３４４は、呼出音源決定部３４３が決定した音源データを音声通話制御サーバ３２０に送信する（第４ステップ）。
【００４６】
つぎに、音源データ転送部３２７は呼出音源提供サーバ３４０から音源データを取得する。そして、音源データ転送部３２７は発信側移動端末１０ａに音源データを転送する。この場合、発信側移動端末１０ａのスピーカから音源データに基づく音が発せられる。この状態で、着信側移動端末１０ｂのユーザすなわち着信者がオフフック操作を行うと、発信側移動端末１０ａと着信側移動端末１０ｂとの音声通話が可能な状態となる。
【００４７】
このような呼出音源提供システム３００、呼出音源提供サーバ３４０においても、発信側移動端末１０ａに発信側移動端末１０ａが存在する移動端末存在エリアに対応する音源データを送信することができるため、発信携帯端末１０ａのユーザに、発信側移動端末１０ａのユーザの所在場所に関する有用な情報を伝えることができる。
また、移動端末存在エリアが特定の施設内であって、通常、携帯電話端末の使用が禁止されている場所（すなわち自粛エリア）であるときには、発信側移動端末１０ａのスピーカから発信処理の中止を促すメッセージ、音等を送信することができるため、倫理的な観点から、移動端末の使用の適正化を実現することが期待できる。
【００４８】
（その他の実施の形態）
上述実施の形態においては、移動端末存在エリア決定部１４２、２４２、３４２が、発信ユーザ位置情報、発信ユーザＧＰＳ情報すなわち発信側移動端末１０ａの位置を示す移動端末位置情報から発信側移動端末１０ａが存在する移動端末存在エリアを決定し、呼出音源決定部１４３，２４３、３４３が、対応関係記憶部１４１，２４１、３４１に記憶された対応関係から、発信側移動端末１０ａが存在する移動端末存在エリアに対応する音源データを決定したが、移動端末存在エリア決定部が、着信ユーザ位置情報、着信ユーザＧＰＳ情報すなわち着信側移動端末１０ｂの位置を示す移動端末位置情報から、移着信側移動端末１０ｂが存在する移動端末存在エリアを決定し、呼出音源決定部が着信側移動端末１０ｂが存在する移動端末存在エリアに対応する音源データを決定してもよい。この場合には、着信側移動端末１０ｂが存在する移動端末存在エリアが特定の施設内であるときには、発信側移動端末１０ａのスピーカから発信処理の中止を促すメッセージ、音等が発せられる。たとえば、着信側移動端末１０ｂが存在する移動端末存在エリアが病院内であれば、「電話先が通信自粛エリアですが、このままお繋ぎしますか？」というメッセージが発信側移動端末１０ａのスピーカから発せられる。一方、着信側移動端末１０ｂが存在する移動端末存在エリアが上記の特定の施設以外の場所であるときには、着信側移動端末１０ｂのユーザが予め設定したメロディー、通常の呼出音などが発せられる。
【００４９】
この場合には、着信側移動端末１０ｂの移動端末存在エリアが特定の施設内であるときには、発信側移動端末１０ａのユーザには発信処理の中止を促すメッセージ、音等が伝えられ、着信側移動端末１０ｂのユーザの具体的な所在位置の情報を通知しないため、着信側移動端末１０ｂのユーザのプライバシーが保護される。
さらに、発信側移動端末１０ａおよび着信側移動端末１０ｂの移動端末位置情報を取得し、呼出音源決定部が、発信側移動端末１０ａが存在する移動端末存在エリア、着信側移動端末１０ｂが存在する移動端末存在エリアの少なくとも一方が特定の施設内であるときには、発信処理の中止を促すメッセージ、音等の音源データを選択するようにしてもよい。この場合には、発信側移動端末１０ａが存在する移動端末存在エリア、着信側移動端末１０ｂが存在する移動端末存在エリアの少なくとも一方が特定の施設内であるときには、発信側移動端末１０ａのスピーカから発信処理の中止を促すメッセージ、音等が発せられる。たとえば、少なくとも発信側移動端末１０ａが存在する移動端末存在エリアが病院内であれば、「通信自粛エリアですが、このままお繋ぎしますか？」というメッセージが発信側移動端末１０ａのスピーカから発せられ、また発信側移動端末１０ａが存在する移動端末存在エリアは病院内ではないが、着信側移動端末１０ｂが存在する移動端末存在エリアが病院内であれば、「通話相手が通信自粛エリアですが、このままお繋ぎしますか？」というメッセージが発信側移動端末１０ａのスピーカから発せられる。
【００５０】
また、呼出音源提供サーバ１４０、２４０、３４０に、呼出音源決定を要求されたときに、移動端末の位置を示す移動端末位置情報から移動端末存在エリアを決定する第１の手順と、対応関係記憶部１４１、２４１、３４１に記憶された移動端末存在エリアと音源データとの対応関係から、第１手順で決定された移動端末存在エリアに対応する音源データを決定する第２の手順と、第２手順で決定された音源データを送信する第３の手順とを実行させる呼出音源提供プログラムを用いる。
【００５１】
ここで、上記の第１手順において、移動端末の存在エリアを決定する場合、例えば、（１）発信者が通信自粛エリアに居るか、（２）着信者が通信自粛エリアに居るか、（３）発信者が特定の狭いエリアに居るか、という優先順位で決定すればよい。すなわち、まず、発信者が病院内などの通信自粛エリアに居る場合は、そのエリアを移動端末の存在エリアとする。発信者が、病院内などの通信自粛エリアに居ない場合であって、着信者が病院内などの通信自粛エリアに居る場合は、そのエリアを移動端末の存在エリアとする。さらに、発信者および着信者の両者が、病院内などの通信自粛エリアに居ない場合であって、発信者がスーパーマーケット内などの予め記憶させた特定の狭いエリアに居る場合は、そのエリアを移動端末の存在エリアとする。特定の狭いエリアに居ない場合は、予め記憶させた、より広範囲のエリアとして登録されているものを移動端末の存在エリアとする。なお、上記の優先順位は一例にすぎず、その優先順位に限定されることはない。
【００５２】
また、上述実施の形態においては、着信側が携帯端末の場合について説明したが、着信側が固定電話機の場合にも本発明を適用することができる。
なお、本発明の範囲は、図示され記載された例示的な実施の形態に限定されるものではなく、本発明が目的とするものと均等な効果をもたらすすべての実施の形態をも含む。さらに、本発明の範囲は、請求項により画される発明の特徴の組み合わせに限定されるものではなく、すべての開示されたそれぞれの特徴のうち特定の特徴のあらゆる所望する組み合わせによって画されうる。
【符号の説明】
【００５３】
１００  呼出音源提供システム
１２０  音声通話制御サーバ
１２４  位置情報取得部
１２７  音源データ転送部
１４０  呼出音源提供サーバ
１４１  対応関係記憶部
１４２  移動端末存在エリア決定部
１４３  呼出音源決定部
１４４  呼出音源送信部
２００  呼出音源提供システム
２２０  音声通話制御サーバ
２２７  音源データ転送部
２４０  呼出音源提供サーバ
２４１  対応関係記憶部
２４２  移動端末存在エリア決定部
２４３  呼出音源決定部
２４４  呼出音源送信部
３００  呼出音源提供システム
３２０  音声通話制御サーバ
３２７  音源データ転送部
３４０  呼出音源提供サーバ
３４１  対応関係記憶部
３４２  移動端末存在エリア決定部
３４３  呼出音源決定部
３４４  呼出音源送信部
３４５  発信ユーザＧＰＳ情報要求部
３４６  発信ユーザＧＰＳ情報受信部
３５０  ＧＰＳサーバ
３５１  発信ユーザＧＰＳ情報取得部
３５２  発信ユーザＧＰＳ情報送信部
【図１】
2014017783.tif 000003
【図２】
2014017783.tif 000004
【図３】
2014017783.tif 000005
【図４】
2014017783.tif 000006
【図５】
2014017783.tif 000007
【図６】
2014017783.tif 000008